(57)【要約】本開示の局面は、ゴルフクラブヘッドボディの後方部分から係合解除されるように構成されている打球フェース部分を含む二重壁構造を有するウッドタイプゴルフクラブヘッドボディを含むゴルフクラブヘッドに関する。さらなる局面は、ゴルフクラブヘッドボディから係合解除されるように構成されている第二の壁部分に関する。これらのクラブヘッドを含むゴルフクラブ、ならびにそのようなゴルフクラブおよびゴルフクラブヘッドを製造する方法もまた提供される。2012531257.tif 000004
2012531257.tif 000002
【特許請求の範囲】
【請求項１】
二重壁構造を有するウッドタイプゴルフクラブヘッドボディを含むゴルフクラブヘッドであって、
該ウッドタイプゴルフクラブヘッドボディが、
第一の壁と外周部分とを含む打球フェース部分、
該第一の壁とは反対側にあり、かつ該打球フェース部分と係合した後方部分、
クラウン部分、
ソール部分、
トウ端部分、
ヒール端部分、ならびに
該第一の壁の背後の、第二の壁
を含み、
該第一の壁と該第二の壁との間に0.1〜6.0ミリメートルのキャビティが画定され、
該打球フェース部分が、該ゴルフクラブヘッドボディの該後方部分から係合解除されるように構成されている、ゴルフクラブヘッド。
【請求項２】
打球フェース部分がカップ形を有し、
外周部分が、
第一の壁から後方に延び、かつゴルフクラブヘッドボディの後方部分の開口面の周囲部分と係合する部分
を含む、請求項1記載のゴルフクラブヘッド。
【請求項３】
外周部分が、ゴルフクラブヘッドボディの後方部分の開口面の周囲部分と整列するか、またはそれを包囲する、請求項2記載のゴルフクラブヘッド。
【請求項４】
打球フェース部分が、解放可能な機械的コネクタを介してゴルフクラブヘッドボディの後方部分と係合している、請求項3記載のゴルフクラブヘッド。
【請求項５】
打球フェース部分の外周部分が一つまたは複数のフランジを含み、さらに、ゴルフクラブヘッドボディの後方部分が、該フランジを受けるための一つまたは複数の受け部分を含む、請求項3記載のゴルフクラブヘッド。
【請求項６】
一つまたは複数のフランジおよび一つまたは複数の受け部分がねじ穴を含み、かつ打球フェース部分が、ねじを介してゴルフクラブヘッドボディの後方部分と係合している、請求項5記載のゴルフクラブヘッド。
【請求項７】
打球フェース部分と後方部分とが係合する場合に、第一の壁と第二の壁との間に画定されるキャビティが、
ゴルフクラブヘッドが第一の速度でスイングされた場合にはインパクト時に該第一の壁が最大に撓むことを可能にし、かつ
該ゴルフクラブヘッドが第二の速度でスイングされた場合にはインパクト時に該第一の壁が最大に撓むことを阻止する、請求項1記載のゴルフクラブヘッド。
【請求項８】
第一の速度が160ft/sec未満の速度であり、かつ第二の速度が160ft/sec以上の速度である、請求項7記載のゴルフクラブヘッド。
【請求項９】
キャビティが1.0〜1.9ミリメートルである、請求項1記載のゴルフクラブヘッド。
【請求項１０】
第一の壁が1.3〜3.0ミリメートルの厚さを有する、請求項1記載のゴルフクラブヘッド。
【請求項１１】
第二の壁が1.3〜3.0ミリメートルの厚さを有する、請求項1記載のゴルフクラブヘッド。
【請求項１２】
第二の壁が、ゴルフクラブヘッドボディの内部と係合する少なくとも一つのフランジを含む、請求項1記載のゴルフクラブヘッド。
【請求項１３】
ゴルフクラブヘッドボディの内部が、第二の壁の少なくとも一つのフランジを受けるための少なくとも一つの凹みを含む、請求項12記載のゴルフクラブヘッド。
【請求項１４】
第二の壁が、第一の壁の中央部分の辺りでゴルフクラブヘッドボディの内部を横切って延びるストリップを含み、さらに、該第二の壁が、少なくとも二つの対向する側にフランジを含んで「U」字形を示す、請求項1記載のゴルフクラブヘッド。
【請求項１５】
第二の壁が、ゴルフクラブヘッドボディの内部から係合解除されるように構成されている、請求項1記載のゴルフクラブヘッド。
【請求項１６】
第二の壁が、解放可能な機械的コネクタを介してゴルフクラブヘッドボディの内部と係合している、請求項15記載のゴルフクラブヘッド。
【請求項１７】
ゴルフクラブヘッドボディの内部が、第二の壁を受けるための複数の凹みを含み、該凹みが、第一の壁の特性に基づいて互いから離間している、請求項16記載のゴルフクラブヘッド。
【請求項１８】
打球フェース部分と第二の壁とが係合するように構成されており、該第二の壁が該打球フェース部分の外周部分の内部で係合している、請求項1記載のゴルフクラブヘッド。
【請求項１９】
第一の壁と第二の壁との間に画定されたキャビティ中に配置されたエアバッグをさらに含む、請求項1記載のゴルフクラブヘッド。
【請求項２０】
第一の壁と第二の壁との間に画定されたキャビティ中に配置された材料をさらに含み、該材料が、ポリマー、ポリマー系材料、プラスチック、エラストマーまたはエラストマー系材料の一つである、請求項1記載のゴルフクラブヘッド。
【請求項２１】
二重壁構造を有するウッドタイプゴルフクラブヘッドボディを含むゴルフクラブヘッドであって、
該ウッドタイプゴルフクラブヘッドボディが、
第一の壁と、該第一の壁から後方に延びる外周部分と、一つまたは複数の係合部分とを含むカップ形打球フェース部分、
開口面と該一つまたは複数の係合部分を受けるための一つまたは複数の受け部分を含む該開口面の周囲部分とを含む、該カップ形打球フェース部分とは反対側にある後方部分、
クラウン部分、
ソール部分、
トウ端部分、
ヒール端部分、
該第一の壁の背後の、第二の壁、ならびに
該打球フェース部分と該第二の壁との間に画定されたキャビティ
を含み、
該打球フェース部分が、該ゴルフクラブヘッドボディの該後方部分から係合解除されるように構成されており、
該カップフェースの該外周部分が該ゴルフクラブヘッドの該後方部分の該開口面の該周囲部分と整列し、該打球フェース部分の該係合部分が該クラブヘッドボディの該後方部分の外面と係合し、該クラブヘッドボディの該後方部分の該受け部分に受けられることにより、該打球フェース部分と該後方部分とが係合する、ゴルフクラブヘッド。
【請求項２２】
二重壁構造を有するウッドタイプゴルフクラブヘッドボディを含むゴルフクラブヘッドであって、
該ウッドタイプゴルフクラブヘッドボディが、
第一の壁と該第一の壁から後方に延びる外周部分とを含むカップ形打球フェース部分、
開口面と周囲部分とを含む、該打球フェース部分とは反対側にある後方部分、
クラウン部分、
ソール部分、
トウ端部分、
ヒール端部分、
該第一の壁の背後の、第二の壁、ならびに
該打球フェース部分と該第二の壁との間に画定されたキャビティ
を含み、
該打球フェース部分が、該ゴルフクラブヘッドボディの該後方部分から係合解除されるように構成されており、
該カップフェースの該外周部分が該ゴルフクラブヘッドボディの該後方部分の該周囲部分を包囲することにより、該打球フェース部分が該ゴルフクラブヘッドボディの該後方部分と係合する、ゴルフクラブヘッド。
【発明の詳細な説明】
【技術分野】
【０００１】
開示の分野
本開示はゴルフクラブおよびゴルフクラブヘッドに関する。本開示の具体的な例示的局面は、ゴルフクラブヘッドボディの後方部分から係合解除されるように構成されている打球フェース部分を含む二重壁構造を有するウッドタイプゴルフクラブおよびゴルフクラブヘッドに関する。
【背景技術】
【０００２】
背景
ゴルフは、多種多様なプレーヤ―異なる性別ならびに劇的に異なる年齢および／または熟練度レベルのプレーヤによって楽しまれている。そのような多様なプレーヤの集まりがゴルフイベントで互いに直接競いながらいっしょにプレーし（たとえば、ハンデ付きのスコア、異なるティーボックスを使用して、チームフォーマットで、など）、なおもゴルフの試合または競技を楽しむことができるという点で、ゴルフはスポーツ界ではいくぶんユニークである。これらの要因が、テレビにおけるゴルフ番組（たとえばゴルフトーナメント、ゴルフニュース、ゴルフ史および／または他のゴルフ番組）の視聴機会の増加および著名なゴルフスーパースターの出現と相まって、少なくとも部分的に、近年、米国および世界中でのゴルフ人気を高めた。
【０００３】
ゴルファーは、すべての熟練度レベルにおいて、パフォーマンスを改善し、ゴルフスコアを減らし、その次のパフォーマンス「レベル」に到達しようとする。すべてのタイプのゴルフ用具の製造者はこれらの要求に応え、近年、業界は、ゴルフ用具における劇的な変化および改良を目撃した。たとえば、今や、広い範囲の異なるゴルフボールモデルが利用可能であり、ボールは、特定のスイング速度および／または他のプレーヤ特性もしくは好みを補うように設計されており、たとえば、一部のボールは、より遠く、および／またはよりまっすぐに飛ぶように設計されており、一部のボールは、より高く、またはよりフラットな弾道を提供するように設計されており、一部のボールは、より多くのスピン、コントロールおよび／または感触（特にグリーン周りでの）を提供するように設計されており、一部のボールは、より速い、またはより遅いスイング速度のために設計されている、などである。また、ゴルフのスコアを減らすのに役立つことを約束する数多くのスイング補助具および／または補助教具が市販されている。
【０００４】
プレー中にゴルフボールを動かす唯一の道具であることから、ゴルフクラブもまた、近年、多大な技術的研究および進歩の対象であった。たとえば、市場は、近年、パター設計、ゴルフクラブヘッド設計、シャフトおよびグリップにおける劇的な変化および改良を見てきた。さらには、ゴルフクラブの様々な要素および／または特性ならびにゴルフボールの特性を特定のユーザのスイング特徴または特性により良く適合させようとする努力において、他の技術的進歩がなされてきた（たとえばクラブフィッティング技術、ボール打ち出し角計測技術、ボールスピン速度など）。
【０００５】
近年、この業界は、ゴルフ用具に対する劇的な変化および改良を目撃してきたが、当技術分野において、ゴルフクラブ技術におけるさらなる進歩の余地がある。
【発明の概要】
【０００６】
開示の概要
以下、本開示およびその様々な局面の基本的理解を提供するために、本開示の局面の概要を提示する。この概要は、本開示の範囲を何らかのかたちで限定することを意図したものではなく、単に、以下のより詳細な説明のための概観および背景を提供する。
【０００７】
本開示の少なくともいくつかの例示的局面のゴルフクラブヘッドは、第一の壁（たとえば打球フェース）と第一の壁の背後の第二の壁とを有する打球フェース部分を含む二重壁構造を有するウッドタイプゴルフクラブヘッドボディを含む。本開示のいくつかの局面にしたがって、打球フェース部分は、ゴルフクラブヘッドボディの残り部分から選択的に係合解除する（すなわち取り外す）ことができる。本開示のいくつかの局面にしたがって、打球フェース部分の背後の第二の壁は、ゴルフクラブヘッドボディの残り部分から選択的に係合解除する（すなわち取り外す）ことができる。本開示のいくつかの局面にしたがって、打球フェース部分と打球フェースの背後の第二の壁の両方は、選択的に係合解除する（すなわち取り外す）ことができる。
【０００８】
本開示のさらなる局面は、たとえば上記タイプのゴルフクラブヘッドを含むゴルフクラブ構造に関する。そのようなゴルフクラブ構造はさらに、クラブヘッドに取り付けられた（場合によっては、別個のホーゼル部材、あるいは、クラブヘッドもしくはシャフトの一つまたは複数の一体部分として提供されたホーゼル部材を介して）シャフト部材；シャフト部材に取り付けられたグリップまたはハンドル部材；さらなるウェイト部材などの、一つまたは複数を含んでもよい。
【０００９】
本開示のなおさらなる局面は、たとえば上記タイプのゴルフクラブヘッドおよびゴルフクラブ構造を製造する方法に関する。このような方法は、たとえば、（a）上記様々なタイプのゴルフクラブヘッドを、たとえばゴルフクラブヘッドボディを製造または他のやり方で構築すること、別の供給源からゴルフクラブヘッドボディを得ることなどによって提供する工程、および（b）シャフト部材をゴルフクラブヘッドと係合させる工程を含んでもよい。また、グリップ部材をシャフト部材と係合させるステップ、クラブヘッドボディ仕上げステップなどの他のステップをこれらの方法に含んでもよい。
【図面の簡単な説明】
【００１０】
本開示は、添付図面において例として説明されるが、それらに限定されない。全図を通して同じ参照番号が同種の要素を示す。
【００１１】
【図１】本開示の少なくともいくつかの局面のゴルフクラブの特徴を一般に示す。
【図２Ａ】図1に示すゴルフクラブヘッドボディを示す。
【図２Ｂ】図2Aに示すゴルフクラブヘッド構造の略部分断面図を示す。
【図２Ｃ】図2Aに示すゴルフクラブヘッド構造の略部分断面図を示す。
【図２Ｄ】図2Aに示すゴルフクラブヘッド構造の部分を示す。
【図２Ｅ】図2Aに示すゴルフクラブヘッド構造の部分を示す。
【図２Ｆ】本開示のいくつかの局面のゴルフクラブヘッド構造の略部分断面図を示す。
【図２Ｇ】本開示のいくつかの局面のゴルフクラブヘッド構造の略部分断面図を示す。
【図３Ａ】本開示の少なくともいくつかの例のゴルフクラブヘッド構造の後方部分の分解図である。
【図３Ｂ】本開示の少なくともいくつかの例にしたがって第二の壁がゴルフクラブヘッドボディの後方部分に組み込まれている、図3Aに示すゴルフクラブヘッド構造の後方部分の図である。
【図３Ｃ】本開示の少なくともいくつかの例のゴルフクラブヘッド構造の様々な第二の壁を示す。
【図３Ｄ】本開示の少なくともいくつかの例のゴルフクラブヘッド構造の様々な第二の壁を示す。
【図４Ａ】本開示の少なくともいくつかの例にしたがってゴルフクラブヘッドボディに組み込まれるゴルフクラブヘッド構造の代替的な第二の壁の様々な図を示す。
【図４Ｂ】本開示の少なくともいくつかの例にしたがってゴルフクラブヘッドボディに組み込まれるゴルフクラブヘッド構造の代替的な第二の壁の様々な図を示す。
【図５】本開示の少なくともいくつかの例にしたがってゴルフクラブヘッドボディに組み込まれるゴルフクラブヘッド構造の第二の壁を示す。
【図６】本開示の少なくともいくつかの例のゴルフクラブヘッド構造の後方部分を示す。
【００１２】
読者は、これらの図面に示される様々なパーツが必ずしも原寸に比例して描かれてはいないことに留意されたい。
【発明を実施するための形態】
【００１３】
詳細な説明
以下の説明および添付図面が本開示の例のゴルフクラブヘッドおよびゴルフクラブの特徴を開示する。
【００１４】
I. 本開示の例示的ゴルフクラブヘッド、ゴルフクラブおよび方法の概説
上記のように、本開示の局面はウッドタイプゴルフクラブヘッドおよびゴルフクラブに関する。本開示の少なくともいくつかの例示的局面のウッドタイプゴルフクラブヘッドは、（a）ウッドタイプゴルフクラブヘッドボディ、（b）打球フェース部分（たとえば、打球フェースのような第一の壁を含む）、（c）第一の壁の背後の、第二の壁、（d）トップ部分、（e）ソール部分、（f）打球フェース部分とは反対側の後方部分、（g）トウ端部分、および（h）ヒール端部分を含んでもよい。
【００１５】
本開示の局面にしたがって、上記二重壁構造（すなわち、二重壁構造の第一の壁としての打球フェース部分のフェース、および二重壁構造の第二の壁としての打球フェース部分の背後の第二の壁）は、打球フェースが、ゴルフボールとインパクトしたとき、大きな「トランポリン」または「ばね様」効果を示すことを可能にする一方、第二の壁は、ゴルフクラブヘッドが、全米ゴルフ協会（United States Golf Association）（USGA）またはロイヤル アンド エンシェント ゴルフ クラブ オブ セント アンドリュース（The Royal and Ancient Golf Club of St. Andrews）（R&A）のような管理団体によって設定されている反発係数に関する制限のいずれにも違反しないように設計することができる。
【００１６】
本開示のいくつかの局面にしたがって、打球フェース部分は、ゴルフクラブヘッドボディの残り部分から選択的に係合解除する（すなわち取り外す）ことができる。本開示のいくつかの局面にしたがって、打球フェースの背後の第二の壁は、ゴルフクラブヘッドボディの残り部分から選択的に係合解除する（すなわち取り外す）ことができる。本開示のいくつかの局面にしたがって、打球フェース部分と打球フェースの背後の第二の壁の両方は、選択的に係合解除する（すなわち取り外す）ことができる。
【００１７】
本開示のさらなる局面は、たとえば上記タイプのゴルフクラブヘッドを含むウッドタイプゴルフクラブ構造に関する。このようなウッドタイプゴルフクラブ構造はさらに、クラブヘッドに取り付けられた（場合によっては、別個のホーゼル部材またはクラブヘッドおよび／またはシャフトの一つまたは複数の一部として提供されたホーゼル部材を介して）シャフト部材；シャフト部材に取り付けられたグリップまたはハンドル部材；さらなるウェイト部材、メダルなどの、一つまたは複数を含んでもよい。
【００１８】
本開示のなおさらなる局面は、本開示の例のウッドタイプゴルフクラブヘッドおよびウッドタイプゴルフクラブ構造を製造する方法に関する。このような方法は、たとえば、以下のステップ、すなわち（a）上記様々なタイプのゴルフクラブヘッドボディ（上記様々な構造、特徴および／または配設のいずれかまたはすべてを含む）を、たとえば製造または他のやり方で構築すること、第三者供給源から得ることなどによって提供するステップ、（b）シャフト部材をゴルフクラブヘッドボディと係合させるステップ、および（c）グリップ部材をシャフト部材と係合させるステップの一つまたは複数を所望の順序および／または組み合わせで含んでもよい。
【００１９】
上記で提供された本開示の様々な例示的局面の概説を提供したところで、以下、本開示のゴルフクラブおよびゴルフクラブヘッド構造の様々な具体例のより詳細な説明を提供する。
【００２０】
II. 本開示の例示的ゴルフクラブヘッド、ゴルフクラブ構造および方法の詳細な説明
以下の記述および添付図面が本開示の様々な例示的ゴルフクラブおよびゴルフクラブヘッド構造を説明する。同じ参照番号が二つ以上の図面に見られる場合、その参照番号は、本明細書および図面において、全体を通して同じまたは類似パーツを指すために一貫して使用される。
【００２１】
以下、図1〜6に示す例示的ゴルフクラブ構造と併せて本開示のアイアンタイプゴルフクラブヘッドおよびゴルフクラブ構造のより具体的な例および特徴を詳細に説明する。
【００２２】
図1は一般に、本開示のウッドタイプゴルフクラブヘッドボディ101を備えたウッドタイプゴルフクラブ100の例を示す。図1に見られるように、この図示される例のクラブヘッドボディ101は、打球フェース部分102、打球フェースとは反対側の後方部分104、クラウン（すなわちトップ）部分106、ソール部分108、トウ端部分110およびヒール端部分112を含む。図1に見られるように、ゴルフクラブヘッドボディ101は一般に従来的な形状を有してもよい（ただし、そうでなくてもよく、代わりに、たとえば長方形または正方形を用いることもできる）。
【００２３】
ゴルフクラブヘッドボディ101に加えて、この例のゴルフクラブ構造100全体は、ホーゼル領域114、ホーゼル領域114に受けられ、および／またはその中におよび／もしくはそれを通して挿入されるシャフト部材116ならびにシャフト部材116に取り付けられるグリップまたはハンドル部材118を含む。場合によっては、所望であれば、外部ホーゼル領域114をなくし、シャフト部材116をゴルフクラブヘッドボディ101に直接挿入してもよく、および／または他のやり方で取り付けてもよい（たとえば、ゴルフクラブヘッドボディ101のトップに提供された開口に通して、内部ホーゼル部材（たとえば、クラブヘッドボディ102によって画定された内部チャンバ内に提供された）に通して、など）。ホーゼル部材114は、クラブヘッド構造101の一部として一体に形成されてもよく、別個に形成し、それと係合させてもよい（たとえば、接着剤またはセメント、溶接、ろう付け、はんだ付けまたは他の融着技術、機械的コネクタなどによって）。本開示を逸脱することなく、従来のホーゼルおよびアイアンタイプクラブヘッド構造へのその組み込みを使用してもよい。
【００２４】
本開示を逸脱することなく、シャフト部材116は、当技術分野において公知であり、使用されている従来のやり方を含む適当なまたは所望のやり方でクラブヘッドボディ101に受け、それと係合させ、および／またはそれに取り付けてもよい。より具体的な例として、シャフト部材116は、ホーゼル部材114を介して、および／または直接クラブヘッドボディ101に対して、たとえば接着剤、セメント、溶接、はんだ付け、機械的コネクタ（たとえばねじ山、保定要素など）によって、クラブヘッドボディ101中に延びるシャフト受けスリーブまたは要素を介するなどして、クラブヘッドボディ101と係合させてもよい。所望であれば、シャフト116は、ヘッド上で容易なシャフト交換を可能にするために、機械的コネクタを使用して解放可能なやり方でヘッド101に接続してもよい。
【００２５】
シャフト部材116はまた、当技術分野において公知であり、使用されている従来の材料を含む適当なまたは所望の材料、たとえばグラファイト系材料、複合材または他の非金属材料、鋼材料（ステンレス鋼を含む）、アルミニウム材料、他の金属合金材料、ポリマー材料、種々の材料の組み合わせなどからなってもよい。また、グリップまたはハンドル部材（図示せず）は、当技術分野において公知であり、使用されている従来のやり方を含む適当なまたは所望のやり方で、たとえば、接着剤またはセメントを使用して、溶接、はんだ付け、ろう付けなどによって、機械的コネクタ（たとえばねじ山、保定要素など）を介するなどして、シャフト部材116に取り付け、それと係合させ、および／またはそれから延ばしてもよい。別の例として、所望であれば、グリップまたはハンドル部材（図示せず）は、シャフト部材116と一体の1ピース構造として一体に形成されてもよい。さらには、本開示を逸脱することなく、任意の所望のグリップまたはハンドル部材材料、たとえばゴム材料、皮革材料、中に埋め込まれたコードまたは他の布材料を含むゴムまたは他の材料、ポリマー材料などを使用してもよい。
【００２６】
本開示を逸脱することなく、クラブヘッドボディ101そのものもまた、適当なまたは所望のやり方で、および／または、適当なまたは所望の材料から、たとえば当技術分野において公知であり、使用されている従来の材料から、および／または従来のやり方で構築し得る。たとえば、クラブヘッドボディ101および／またはその様々なパーツは、鍛造、鋳造、成形によって、および／または当技術分野において一般的かつ公知である技術およびプロセスを含む他の技術およびプロセスを使用して製造し得る。
【００２７】
本開示を逸脱することなく、多種多様な全体的クラブヘッド構造が可能である。たとえば、所望であれば、上記クラブヘッドボディ101の様々な個々のパーツのいくつかまたはすべては、互いに接続される（たとえば、接着剤またはセメント、溶接、はんだ付け、ろう付けまたは他の融着技術、機械的コネクタなどによって）多数のピースからなってもよい。様々なパーツ（たとえばトップ部分106、ソール部分108など）は、当技術分野において従来から公知であり、使用されている材料、たとえば軽金属材料を含む金属材料、複合材料、ポリマー材料などを含む所望の材料および異なる材料の組み合わせからなってもよい。
【００２８】
本開示を逸脱することなく、本開示の例のゴルフクラブヘッドボディ101の寸法および／または他の特性は有意に異なってもよい。たとえば、本開示のいくつかの局面にしたがって、クラブヘッドボディ101の寸法は、200〜500立方センチメートルの体積を含み得る。さらに、本開示の局面は、たとえばドライバ、フェアウェイウッド、ウッドタイプハイブリッドクラブなどを含む任意のウッドタイプクラブヘッドに適用し得る。
【００２９】
図2Aは、本開示の局面の例示的ウッドタイプゴルフクラブヘッドボディ101をさらに詳細に示す。さらに、図2Bは、図2Aに示すクラブヘッド101の断面図を示す。図2Bに見られるように、ゴルフクラブヘッドボディ101は二重壁構造を含む。換言するならば、クラブヘッドボディ101は、第一の壁または打球フェース103を含む打球フェース部分102を有する。さらに、図2Bに見られるように、ゴルフクラブヘッドボディ101は、打球フェース103の背後に第二の壁105を含む。また、図2Bに見られるように、参照番号107は、打球フェース103と第二の壁105との間の空間またはキャビティを表す。キャビティ107は、図2Cに示すように、打球フェース103が、インパクト時、第二の壁105と接触する前に、少なくとも所定の距離だけ内向きに撓むことを可能にする。
【００３０】
以下さらに詳細に説明するように、上記二重壁構造（すなわち、キャビティ107によって分けられた打球フェース103および第二の壁105）は、ゴルフクラブヘッドの打球フェース103がゴルフボールとインパクトしたとき、打球フェース部分102の打球フェース103が大きな「トランポリン」または「ばね様」効果を示すことを可能にする一方、第二の壁部分105は、ゴルフクラブヘッド101が、USGAまたはR&Aのようなゴルフ管理団体によって設定されている反発係数に関する制限のいずれにも違反しないことを保証する。
【００３１】
反発係数（COR）は、二つの物体が衝突する、たとえばゴルフクラブヘッドがゴルフボールとインパクトするときに失われるエネルギーの計測値である。この計測値は0〜1の数値によって表され、0は、すべてのエネルギーが失われる衝突を表し、1は、エネルギーが失われず、すべてのエネルギーが一方の物体から他方の物体に伝達される完璧に弾力性の衝突を表す。
【００３２】
ゴルフクラブヘッドの打球フェースのCORは、ゴルフクラブヘッドによって打たれたときゴルフボールが移動する距離に変化をもたらすことができる。ゴルフクラブヘッドの打球フェースのCORが高ければ高いほど、インパクト時、打球フェースはより多くのエネルギーをゴルフボールに伝達する。したがって、異なるCORを有する二つのゴルフクラブヘッドを同じ速度でスイングするならば、より高いCORを有するゴルフクラブヘッドがより多くのエネルギーを伝達し、その結果、ゴルフボールはより遠くまで移動する。たとえば、それぞれ0.82および0.83の異なるCORを有するゴルフクラブヘッドを有する二つのゴルフクラブを100mphのスイング速度でそれぞれスイングするならば、インパクト後、ゴルフボールが移動する距離の差はおよそ3〜4ヤードになるであろう。
【００３３】
したがって、可能な最高のCORを有するゴルフクラブヘッドを有することは、可能な最長の距離を提供するため、有利であろう。しかし、USGAは、ゴルフクラブヘッドのCORに上限を課している。USGAによって承認されたThe Rules of Golf（たとえば、2008年版を参照）は、Design of Golf Clubs; Clubheads; Spring Effect and Dynamic Propertiesと題するAppendix II, Section 4(c)に規則を含む。この規則の第一のサブセクションは、クラブヘッド（クラブフェースを含む）の設計、材料および／または構成もしくはそれに対する処理が、USGAに記録された振り子試験プロトコルに規定された制限を超えるばねの効果を有してはならないと述べている。現在、プロトコルは、160ft/secでゴルフボールとインパクトするときのゴルフクラブヘッドのCORの上限を0.830に設定している。したがって、ゴルフボールが160ft/secでインパクトするとき、より高いCORを提供するゴルフクラブヘッドは違法であり、USGAによって管理される競技で使用することはできない。この規則の背後にある論拠は、ゲームの健全性を守り、テクノロジーによってゴルファーがゴルフボールをあまりに遠くまで飛ばすことを阻止することであった。
【００３４】
インパクト後のボールの速度を決定するためには以下の式:
2012531257.tif 000003
を使用することができ、
式中、vはインパクト後のボールの速度であり、Uはインパクト時のクラブヘッドの速度であり、eは反発係数であり、mはボールの質量であり、Mはクラブヘッドの質量である。この式によって証明されるように、明らかに、インパクト時のクラブヘッドの速度は、インパクト後のゴルフボールの速度に対して影響を有し、それが他方で、クラブヘッドによって打たれたときゴルフボールが移動する距離に直接関連する。したがって、おそらく推測されるように、スイング速度が高くなればなるほど、ゴルフボールが移動する距離は大きくなる。逆に、スイング速度が低くなればなるほど、ゴルフボールが移動する距離は小さくなる。
【００３５】
しかし、クラブヘッドの最大CORを制限するUSGAの規則は、160ft/secにおけるインパクトのみを指定している。したがって、インパクトが160ft/sec未満の速度であるならば、最大CORは0.830よりも高くなることがある。たとえば、ゴルフクラブを140ft/secの速度でしかスイングしないならば、インパクト時のゴルフクラブヘッドの最大CORは0.830よりも大きくなりうる。クラブヘッドボディとゴルフボールとのインパクト時に失われるエネルギーの大部分はゴルフボールから来るため、ゴルフクラブヘッドボディのフェースが、非常に可撓性かつ弾性であるように作られているならば、インパクト時にゴルフボールが失うエネルギーは少なくなり、CORは増大する（たとえば0.830を超える）。
【００３６】
したがって、本開示の局面は、ゴルフクラブヘッドが、低い速度でスイングされた場合でも高いCOR（場合によっては0.830よりも高い）を提供する打球フェースを有することを可能にする上記二重壁構造に関する。換言するならば、打球フェースは、非常に可撓性かつ弾性（たとえば、160ft/secでスイングしたとき0.83のCORを提供する従来のゴルフクラブヘッドフェースよりも可撓性かつ弾性）であるように作ることができる。たとえば、打球フェースは「極」薄に（たとえば、0.83のCORを提供する従来の打球フェースよりも薄く）してもよい。打球フェースがより可撓性、変形性、弾性などであることにより、ゴルフボールは、インパクト時にそれほど多くのエネルギーを失わず、したがって、打球フェースのCORの値は増大する。結果として、インパクト時のゴルフボールの速度は増大し、ゴルフボールはより遠くまでキャリーで飛ぶ。上述したように、そのような打球フェースは、一般的なアマチュア速度（たとえば140ft/sec）でスイングした場合、0.83以上のCORを提供することができる。
【００３７】
しかし、160ft/secでスイングしたときそのような打球フェースが0.83のUSGAのCOR制限に違反することを防ぐために、第二の壁部分105が、打球フェース103に対し、ゴルフクラブヘッドを160ft/sec以上でスイングした場合、打球フェース103の撓み／変形を止め、それにより、得られる最大CORを制限するのに十分な近さで配置されている。換言すると、そのようなクラブを低速でスイングするならば、クラブフェースの撓みは第二の壁105によって止められず、したがって、CORは、打球フェース103の特性（たとえば、打球フェースの寸法、たとえば厚さ、打球フェースを作るために使用される材料など）が許す限り高くなることができる。他方、クラブを高速でスイングするならば、第二の壁105の配置は、打球フェースが最大に撓む（すなわち、打球フェースの特性（たとえば打球フェースの寸法、たとえば厚さ、打球フェースを作るために使用される材料など）が許すだけ撓む）ことができず、したがって、打球フェースの特性が提供するであろう最大CORを達成することができないことを保証する。それにより、第二の壁105は、打球フェースの特性に基づいて、ゴルフクラブヘッドを160ft/sec以上の速度でスイングした場合のみ0.83の最大COR値が得られるように打球フェース103から離して配置される。したがって、二重壁構造は、低スイング速度ゴルファーが、高速ゴルファーと同じ（またはより多くの）量の「トランポリン」または「ばね様」効果を打球フェース103から達成することを可能にし、したがって、低スイング速度ゴルファーは、CORに関するUSGA規則による「ペナルティー」を受けないということが理解されよう。
【００３８】
上記記述を考慮して、規則によって許される可能な最高のCORを得ることがゴルファーにとって有利であるということが理解されよう。さらには、上記のように、特定のゴルファーが達成することができる可能な最高のCORは、少なくとも部分的に、特定のゴルファーのスイング速度および打球フェース103の具体的な特徴に依存するであろう。したがって、ある特定の打球フェースは、スイング速度の異なる複数のゴルファーについては最大のCORを提供することはできないということが理解されよう。
【００３９】
したがって、本開示の局面は、二重壁構造を含むゴルフクラブヘッドボディの、選択的に取り外し可能かつ交換可能な部分に関する。具体的には、本開示のいくつかの局面は、ゴルフクラブヘッドボディの後方部分から選択的に係合解除される（すなわち取り外される）ように構成し得る打球フェース部分102に関する。さらには、本開示のいくつかの局面は、クラブヘッドボディの後方部分に取り付けることができる他の打球フェース部分と交換可能である打球フェース部分102に関する。そのような打球フェース部分102を提供することにより、打球フェース103を特定のゴルファーのためにカスタマイズすることができる。
【００４０】
さらには、二重壁構造においては、第二の壁の配置が、ある特定のゴルファーが達成することができる可能な最高のCORに変化をもたらすこともある。したがって、本開示の局面は、ゴルフクラブヘッドボディ101から選択的に係合解除する（すなわち取り外す）ことができる二重壁ゴルフクラブヘッドボディの第二の壁に関する。さらには、本開示のいくつかの局面は、交換可能かつ調節可能である第二の壁に関する。そのような第二の壁を提供することにより、二重壁ゴルフクラブヘッドボディを特定のゴルファーのためにカスタマイズすることができる。
【００４１】
図2Dは、本開示の局面にしたがって、打球フェース部分102がゴルフクラブヘッドボディ101の残り部分から選択的に係合解除される（すなわち取り外される）ように構成されている、二重壁構造を有するゴルフクラブヘッドボディ101の打球フェース部分102の例示的態様を示す。図2Dに見られるように、打球フェース部分102は、ゴルフクラブヘッドボディ101の残り部分に取り付けられる別個の要素（または要素の群）とし得る。さらには、本開示の特定の局面にしたがって、図2Dに見られるように、打球フェース部分102は「カップ」形とし得る。換言するならば、打球フェース部分102は、「カップ」形を形成するために、打球フェース103および打球フェース103から後方に打球フェース103に対して相対的に垂直な方向に延びる部分を含む外周部分102aを含む。さらには、係合部分120が外周部分102aから延びてもよい。図示される態様において、係合部分120は、打球フェース部分102の外周部分102aのソール部分、クラウン部分、トウ端部分およびヒール端部分それぞれに配置されたフランジである。各フランジ120はねじ穴を含んでもよい。打球フェース部分102は、ひとたびクラブヘッドボディの残り部分に係合すると、ゴルフクラブヘッドボディ101のトップ、ソール、トウまたはヒール部分の少なくとも一つの部分を形成し得る。さらには、図2Dに見てとれるように、外周部分102aはホーゼル114を含んでもよい。
【００４２】
図2Eは、本開示の局面の二重壁構造を有するゴルフクラブヘッドボディ101のゴルフクラブヘッドボディ後方部分104の例示的態様を示す。図2Eに見てとれるように、後方部分104は、少なくとも、クラウン部分106、ソール部分108、トウ端部分110およびヒール端部分112の部分を含む。さらには、後方部分104は、打球フェース部分102の係合部分120を受けるための受け部分122を含む。図示される態様において、受け部分122は、後方部分104のソール部分、クラウン部分、トウ端部分およびヒール端部分それぞれに配置された凹みである。各凹み122はねじ穴を含んでもよい。さらには、本開示のいくつかの局面にしたがって、クラブヘッドボディ後方部分104はまた、第二の壁105を含むこともできる。たとえば、図2Eに見られるように、第二の壁105は後方部分104内に配置されて、後方部分104を、第二の壁105の背後の第一の中空コンパートメントと、第二の壁105の前の開口面部分とを含む別々の部分に分けることができる。図2Eに見られるように、後方部分104は周囲部分104aを含む。
【００４３】
交換可能な打球フェース部分102とゴルフクラブヘッドボディ後方部分104とを係合させてゴルフクラブヘッドボディ101を形成することができる。図示される態様においては、打球フェース部分102の外周部分102aの「カップ」形がゴルフクラブヘッドボディ後方部分104の開口面の周囲部分104aと係合する。たとえば、外周部分は、ゴルフクラブヘッドボディ後方部分104の開口面の周囲部分と整列、またはそれを包囲し得る。さらには、打球フェース部分102のフランジ120は、ゴルフクラブヘッドボディ後方部分104の受け部分122に嵌め込み得る。さらには、本開示のいくつかの局面にしたがって、クラブヘッドボディ後方部分104は、周囲部分104aの近くに隆起を含んでもよい。打球フェース部分102の外周部分102aは、後方部分104の隆起と係合し、かつそれによって支持されることができる。たとえば、外周部分102aは、隆起を包囲し、その上に嵌まることができる。フランジ120および受け部分122の寸法は、係合すると、クラブヘッドボディ101が本質的にシームレスになる（たとえば、受け部分102の深さがフランジ120の厚みを受け入れることができ、ゴルフクラブヘッドボディ101の表面が相対的に滑らかになる）ように構成されることができることが留意されよう。図示される態様において、ひとたび打球フェース部分102とゴルフクラブヘッドボディ後方部分104とが係合すると、ねじ124を使用して打球フェース部分102をゴルフクラブヘッドボディ後方部分104に固定することができる。ねじ124は、スイング中にクラブヘッドボディ101の空力特性に干渉しないよう、座ぐりしてもよい。
【００４４】
打球フェース部分102およびゴルフクラブヘッド後方部分104は、係合すると、打球フェース103と第二の壁部分105との間に適切なキャビティ107を提供するように構成され得ることが留意されよう。たとえば、クラブヘッドボディ後方部分104の隆起および打球フェース部分102の外周部分102aは、打球フェース部分102の外周部分102aがクラブヘッドボディ後方部分104の隆起と係合したとき、それらの係合が、第二の壁105から適切な距離に打球フェース102を提供するような寸法を有してもよい。
【００４５】
図示される態様はクラブヘッドボディ101の一例に過ぎないということが留意されよう。他の打球フェース部分、ゴルフクラブヘッド後方部分、部分を固定する手段などを使用してもよい。たとえば、フランジ120および受け部分122をなくし、代わりに、打球フェース部分102およびゴルフクラブヘッド後方部分104が単に対応／嵌合する隆起部分を有するように構成することができる。同様に、ねじ124の代わりに、打球フェース部分102は、他の機械的コネクタ、たとえばねじ山、保定要素、ゴルフクラブヘッド後方部分104中の対応する穴と係合する打球フェース102中の突起（またはその逆）、ばね押し突起および対応する凹み、スナップ嵌め機構などを含む多様な他の方法でゴルフクラブヘッド後方部分104に固定されてもよい。所望により、固定または結合手段、打球フェース部分および後方部分の任意の組み合わせを使用することができる。
【００４６】
このような解放可能な取り付け方法は、打球フェース102とゴルフクラブヘッドボディ後方部分104との確実な係合を提供するが、また、一つの打球フェース部分102と別の打球フェース部分との容易な交換を可能にする。このようにして、ゴルフクラブヘッドを特定のゴルファーのために速やかかつ容易にカスタマイズすることができる。たとえば、クラブフィッタが、クラブフィッティング中、特定のゴルファーの平均計測スイング速度に基づいて、第一の打球フェースを有する第一の打球フェース部分を、より高い（しかし適法の）CORを提供する第二の打球フェースを有する第二の打球フェース部分と「交換」することができる。
【００４７】
そのような態様においては、工具を使用して、交換可能な打球フェース部分102をクラブヘッドボディ101に取り付けたり、および／またはクラブヘッドボディ101から解放したりし得ることが留意されよう。さらには、いくつかの機械的コネクタが先に記載されているが、それは、機械的コネクタを使用しなければならないことを意味するわけではないことが留意されよう。それどころか、打球フェース部分102およびゴルフクラブヘッド後方部分104を互いに確実に係合させることができ、それらが容易に互いから解放可能である限り、そのような手段は本開示の趣旨の範囲内であると考えられる。
【００４８】
本開示の他の局面にしたがって、打球フェース103と第二の壁105との間に要素を含めてもよい。たとえば、図2Fは、エアバッグ107aがゴルフクラブヘッドボディ101のキャビティ107内に配置されている本開示の局面の態様を示す。エアバッグ107aは、図2Cに示すようにインパクト時に変形するときの打球フェース103の弾性に影響する。したがって、ゴルフクラブヘッドボディ101のCORに影響を及ぼす。エアバッグ107aは、部分的、実質的または完全にキャビティ107を満たすような所望のサイズを有してもよい。エアバッグ107aは、繰り返しの変形に耐えながらもなお適切な弾性を提供する従来の材料（たとえばポリエステル繊維）からなってもよい。
【００４９】
当然、打球フェース103と第二の壁105との間に他の要素を含めることができる。たとえば、図2Gは、ゴルフクラブヘッドボディ101のキャビティ107内に材料107bが含まれる本開示の局面の態様を示す。材料107bは、ポリマー、ポリマー系材料、プラスチック、エラストマーまたはエラストマー系材料などとし得る。たとえば、シリコーンを材料107bとして使用してもよい。上記エアバッグと同様に、材料107bは、図2Cに示すようにインパクト時に変形するときの打球フェース103の弾性に影響する。したがって、ゴルフクラブヘッドボディ101のCORに効果を及ぼす。材料107bは、部分的、実質的または完全にキャビティ107を満たしてもよい。
【００５０】
上記に詳述したように、打球フェース103は、従来のゴルフクラブヘッドの打球フェース（たとえば、160ft/secでスイングした場合で0.83のCORを提供するであろう、二重壁構造を有しないゴルフクラブヘッドの打球フェース）よりも可撓性かつ弾性であるように作ることができる。打球フェース103の薄さならびにそれができている材料の強度および弾性が、フェース103が、ゴルフボールとのインパクト時にいかに素速く撓み、反発するのかに影響する。打球フェース103のCORを増すために、打球フェース103は、「極」薄く（たとえば、従来のゴルフクラブヘッドの打球フェースに対して相対的に薄く）作ることができる。たとえば、打球フェース103の厚さは、0.1〜6.0ミリメートル、1.3〜3.0ミリメートル、1.5〜2.0ミリメートル、1.8ミリメートルなどとしてもよい。当然、打球フェース103の厚さは、打球フェース103全体を通して同じである必要はない。たとえば、打球フェース103の中央は打球フェースの外縁よりも薄くすることができる。さらには、打球フェース103は、強くて弾性の材料、たとえばチタン、鋼、チタンまたは鋼合金、複合材などからなってもよいことが留意されよう。
【００５１】
二重壁構造の打球フェース103は、その「極」薄のせいで、従来のゴルフクラブヘッドボディの打球フェースよりも破損しやすいことがあるということが留意されよう。したがって、本開示によって教示されるように打球フェース部分102を取り外し、交換する能力は、破損した場合、クラブヘッド全体を交換しなければならない場合とは違って、打球フェース102を容易に交換し得るため、二重壁構造のゴルフクラブヘッドの場合に特に有利であることができる。これは、費用効果的であるだけでなく、かなりの時間および労力を節約する。
【００５２】
さらに、打球フェース部分102の「カップ」形構造は、「極」薄の打球フェース103の構造そのものの結着性に影響することなく打球フェース部分102をゴルフクラブヘッド後方部分104と係合させることを可能にするため、二重壁構造のためのそのような取り外し可能かつ交換可能な環境において有利であるということが留意されよう。たとえば、「カップ」形を使用し、外周部分102を後方部分104の開口面の周囲と整列させ、または外周部分102をその周囲に嵌め、さらに、打球フェース部分102のフランジ120を後方部分104の受け部分122の中に係合させ、固定することにより、打球フェース部分102の外周部分102aをゴルフクラブヘッドボディ後方部分104の開口面の周囲と係合させることができる。したがって、ねじのような固定手段を、すでに薄い打球フェース103に通して取り付ける必要がない。したがって、「極」薄の打球フェース103の強度が低下することも、または過度に損なわれることもない。
【００５３】
以下、詳細に説明するように、キャビティ107のサイズは、打球フェース103の適切な量の撓みを保証するために、所望のとおりに調節することができる。本開示のいくつかの局面にしたがって、キャビティ107は、0.1〜6.0ミリメートル、0.3〜3.0ミリメートル、1.0〜1.9ミリメートル、1.2〜1.6ミリメートル、1.5ミリメートルなどとしてもよい。
【００５４】
第二の壁105は、ゴルフクラブヘッドボディの一部として形成されてもよく、または、ゴルフクラブヘッドボディ101に取り付けられた別個の要素（または要素の群）としてもよい。第二の壁105は、ゴルフクラブヘッドボディ101の残り部分と同じ材料または異なる材料からなってもよい。たとえば、第二の壁105は、鋼、チタン、アルミニウム、金属材料、カーボングラファイト複合材、射出成形ポリマーなどの材料からなってもよい。追加的または代替的に、第二の壁部分105は、打球フェース103と同じ厚さであってもよいし、それよりも厚くても薄くてもよい。たとえば、第二の壁は、0.1〜6.0ミリメートル、1.3〜3.0ミリメートル、1.5〜2.3ミリメートル、2.0ミリメートルなどとしてもよい。第二の壁の剛性特性（およびその配置）により、第二の壁105は、打球フェース103の撓み／変形を止め、それにより、打球フェース103がゴルフボールとのインパクト時に所定の量よりも多く撓むことを阻止することができる。
【００５５】
図2Eに見られるような本開示の局面にしたがって、第二の壁105は、ゴルフクラブヘッドボディ101の内部を横切ってヒール部分からトウ部分まで、かつクラウン部分からソール部分まで延びるフェースを有してもよい。図3Aに示すように、第二の壁105は材料の単一の平面としてもよい。単一平面の第二の壁105は、ゴルフクラブヘッドボディとともに形成されてもよく、または、図3Aおよび3Bに示すように、単一平面の第二の壁の周縁がゴルフクラブヘッドボディ101の内部に取り付けられてもよい。
【００５６】
本開示の他の局面にしたがって、第二の壁105は、第二の壁105の面から後方に延びるフランジ105aを含んでもよい。たとえば、図3Cは、そのようなフランジ105aを有する第二の壁105の例示的態様である。図示される態様に見られるように、フランジ105aは第二の壁105の周囲に延びている。フランジ105aを使用して第二の壁105をゴルフクラブヘッドボディの内部に固定することができる。フランジ105aは、ゴルフクラブヘッドボディ101の内部と適切に係合し、第二の壁105をゴルフクラブヘッドボディ101に固定する任意のサイズを有することができる。これは単にフランジ105aの一つの態様であり、他の態様を使用し得ることが留意されよう。たとえば、図3Dに見られるように、第二の壁105の周囲に延びる単一のフランジ105aの代わりに、多数のフランジ105aを使用することができる。このように、そのような態様は、第二の壁105のトウおよびヒール側ならびに／あるいはクラウンおよびソール側それぞれにフランジ105aを含めることができる。
【００５７】
本開示のいくつかの局面にしたがって、図3A〜Bに示すように、ゴルフクラブヘッドボディ101の内部は、第二の壁105の周縁またはフランジ105aを受けるための凹み（たとえば溝）101aを、ゴルフクラブヘッドボディ101の内部に含んでもよい。凹み101aは、周縁またはフランジ105aが凹み101aと係合し、それに固定されたとき、打球フェース103の過度な撓みを防ぎ、ひいては、ゴルフクラブを160ft/secでスイングしたとき打球フェース103が0.83を超えるCORを有することを防ぐために、第二の壁105のフェースが適切な位置に提供されるように周縁またはフランジ105aを受け入れるように構成されてもよい。凹み101aは、製造中にゴルフクラブヘッドボディ101の内部に形成されてもよく、ゴルフクラブヘッド101の内部の突出部分によって作り出されてもよい。当然、第二の壁105の周縁またはフランジ105aは、凹み101aを使用することなく、ゴルフクラブヘッドボディ105の内部に直接取り付けてもよいことが留意されよう。
【００５８】
本開示の他の局面にしたがって、図4Aおよび4Bに示すように、第二の壁105は、上記のようにゴルフクラブヘッドボディ101の内部全体に延びるものではなく、打球フェース103の中央部分の辺りでゴルフクラブヘッドボディ101の内部を横切って（たとえば、ヒール部分からトウ部分まで、またはクラウン部分からソール部分まで）延びるストリップとし得る。そのような態様において、ストリップは、打球フェース103がどこでゴルフボールとインパクトするかにかかわらず打球フェース103の過度な撓みを防ぐことを保証するサイズを有するべきであることが留意されよう（すなわち、ストリップは、インパクト位置が「スイートスポット」の外側である場合でも、打球フェース103の過度な撓みを防ぐべきである）。本開示の局面にしたがって、図4Bに見られるように、ストリップ状の第二の壁105は、第二の壁105のトウおよびヒール側（またはクラウンおよびソール側）それぞれにフランジ105a（上記のようなもの）を含み、ストリップ状の第二の壁105が「U」字形または「蹄鉄」形を示してもよい。図示される態様に見られるように、フランジ105aは、第二の壁105の面の長さの50％を超える長さを有してもよい。さらには、図5Bの破線によって見られるように、この態様においても、上記のように、第二の壁105のフランジ105aを受けるための凹み101bを提供してもよい。
【００５９】
本開示の局面にしたがって、第二の壁105の構成にかかわらず（たとえば、第二の壁105が、ゴルフクラブヘッドボディ101の内部全体を横切って延びるフェースを有するのか、打球フェース103の中央部分の辺りでゴルフクラブヘッドボディ101の内部を横切って延びるストリップであるのか、などにかかわらず）、第二の壁105は、ゴルフクラブヘッドボディ101内の所定位置に固定されてもよい。たとえば、第二の壁105は、実際にクラブヘッドボディ101で形成されてもよく、または、相対的に永続的なやり方で、第二の壁105がゴルフクラブヘッドボディ後方部分104の内部に取り付けられることによってゴルフクラブヘッドボディ101の内部に固定されてもよい（たとえば、第二の壁が、ゴルフクラブヘッドボディとともには形成されない別個の要素であるならば、第二の壁の周縁および／またはフランジは、接着剤またはセメント、溶接、ろう付け、はんだ付けまたは他の融着技術などによってゴルフクラブヘッド後方部分104の内部に直接取り付けることができる）。本開示のいくつかの局面にしたがって、第二の壁105は、ゴルフクラブヘッド後方部分104または打球フェース部分102のいずれかの内部に形成され、または直接それに取り付けることができる。
【００６０】
第二の壁105がゴルフクラブヘッド後方部分104の内部の所定位置に固定される態様において、打球フェース103と第二の壁105との間のキャビティ107は、主として、交換可能な打球フェース部分102の構造に依存する。したがって、交換可能な打球フェース部分102は、交換可能な打球フェース部分102がゴルフクラブヘッドボディ後方部分104と係合したとき、ゴルフクラブヘッドボディを160ft/secでスイングしたときの打球フェース部分のCORが0.83を超えないことを保証する適切なキャビティ107を提供するために、打球フェース103の特性（たとえば、打球フェース103の薄さ、打球フェース103ができている材料、打球フェースの弾性など）に基づいて具体的に構成され得る。たとえば、打球フェース103がチタンからなり、厚さ1.3〜3.0ミリメートルであるならば、交換可能な打球フェース部分102の外周部分102aは、キャビティが1.0〜1.9ミリメートル（たとえば1.5mm）であるように構成（たとえば、サイズ決定または形成）されてもよい。対照的に、打球フェース103が鋼からなり、3.0ミリメートルよりも厚いならば、交換可能な打球フェース部分102の外周部分102aは、キャビティ107が1.5mm未満になるように構成（たとえば、サイズ決定または形成）されてもよい。
【００６１】
本開示の他の局面にしたがって、図5に見られるように、第二の壁105は、打球フェース部分102の内部に固定できる。たとえば、第二の壁105は、実際に打球フェース部分102中に形成されることも、または、打球フェース部分102の内部に取り付けられる（上記のようなやり方で）ことも可能である。第二の壁105が、打球フェース部分102の内部に取り付けられる別個の要素であるならば、打球フェース部分102の内部は、第二の壁105の周縁またはフランジ105aを受けるための凹み101a（上記のような）を含みうる。二重壁構造の両方の壁（すなわち、打球フェース103および第二の壁105）を打球フェース部分102に組み込むことにより、ゴルフクラブヘッドボディ104のどの後方部分に、交換可能な打球フェース部分102が取り付けられるかにかかわらず、キャビティ107を適切な距離に設定することができる。これは、ゴルフクラブヘッドボディ104のどの後方部分に、交換可能な打球フェース部分102が取り付けられるかにかかわらず、ゴルフクラブヘッドボディ101がCORに関するUSGA規則に適合することを保証する。
【００６２】
上記態様は、第二の壁105がゴルフクラブヘッドボディ101内の位置に永続的に固定されなければならないことを示唆するものではない。それどころか、本開示の局面にしたがって、第二の壁105は、選択的に係合解除（すなわち取り外し）および／または交換し得る。たとえば、交換可能な打球フェース部分102をゴルフクラブヘッドボディ後方部分104から係合解除すると、解放可能な手段を介して、第二の壁105を、ゴルフクラブヘッドボディ101の、第二の壁105が係合可能である部分（たとえば、ゴルフクラブヘッドボディ後方部分104または打球フェース部分102のいずれか）に挿入し、そこから取り外してもよい。たとえば、ねじ山、保定要素、ばね押し突起および対応する凹み、スナップ嵌め機構などのような機械的コネクタを使用してもよい。たとえば、第二の壁105は、打球フェース部分102または後方部分104中の凹み101aにスナップ嵌めできる。このような解放可能な取り付け法は、第二の壁105と、ゴルフクラブヘッドボディ後方部分104または打球フェース部分102のいずれかとの確実な係合を提供するが、また、一つの第二の壁105と別の第二の壁との容易な交換を可能にする。そのような態様においては、工具を使用して、第二の壁をクラブヘッドボディ101に取り付ける、および／またはそれから解放したりし得ることが留意されよう。さらには、いくつかの機械的コネクタが先に記載されているが、それは、機械的コネクタを使用しなければならないことを意味するわけではないことが留意されよう。それどころか、第二の壁とゴルフクラブヘッド104とを互いに確実に係合させることができ、また、それらが互いから容易に解放可能である限り、そのような手段は本開示の趣旨の範囲内であると考えられる。
【００６３】
二重壁構造の第二の壁を交換可能にすることにより、クラブヘッドボディの異なる特性を変化させ得る。たとえば、交換可能な第二の壁は、異なる厚さを有してもよく、異なる材料からなってもよく、異なる重さ、密度、重量配分および／または他の異なるウェイト付け特性を有してもよい。したがって、クラブのウェイト付け特性を変更し、ひいてはゴルフボール弾道に影響を及ぼすために、第二の壁105を交換することができることが理解されよう（たとえば、より多くの重量を第二の壁105のトウ、ヒール上寄りまたは下寄り部分に提供すると、ボールをして、ドロー、フェード、より高く上がるか、またはより風を切り裂く(boring)弾道をたどらせることができる）。
【００６４】
本開示のいくつかの局面にしたがって、第二の壁105は、取り外し可能かつ交換可能であることに加え、調節可能とし得る。たとえば、図6に見られるように、クラブヘッドボディ101の内部（たとえば打球フェース部分102またはクラブヘッドボディ後方部分104の内部）は複数の凹み101aを含んでもよく、適切なキャビティ107を提供するために、打球フェース103の具体的な特徴（上記のような）に依存して第二の壁105を凹み101aそれぞれに挿入してもよい。さらには、凹み101aは、使用される特定の打球フェース103に対応するように形成（また、マーキングによって識別）できる。たとえば、上記チタン打球フェース103が使用されるならば、160ft/secのスイング速度でCORが0.83を超えないことを保証するのに適切なキャビティ107を提供する凹み101aは、交換可能な第二の壁105をその凹み101aに速やかかつ正確に挿入することができるよう、その特定の打球フェースに対応するものとしてマーキングできる。同様に、上記鋼打球フェース103が使用されるならば、そのそれぞれの凹みは、そのようなものとしてマーキングされうる。したがって、そのようなシステムは、クラブヘッドボディ101内の第二の壁の容易かつ正確な配置を提供するということが理解されよう。このようにして、ゴルフクラブヘッドを特定のゴルファーのために速やかかつ容易にカスタマイズすることができる。たとえば、クラブフィッティング中、新たな打球フェース部分102が使用されたならば、クラブフィッタは、クラブヘッドボディ101がより高い（しかし適法の）CORを提供するように第二の壁105の位置を変更し得る。
【００６５】
III. 結び
本開示を、上記および添付図面において、多様な例示的構造、特徴、要素ならびに構造、特徴および要素の組み合わせを参照して説明した。しかし、本開示によって果たされる目的は、本開示の範囲を限定することではなく、本開示に関連する様々な特徴および概念の例を提供することである。当業者は、添付の特許請求の範囲によって画定される本開示の範囲を逸脱することなく、上記態様に対して数多くの変形および改変を加え得ることを理解するであろう。たとえば、本開示を逸脱することなく、図1〜6に関連して上記した様々な特徴および概念を個々におよび／または任意の組み合わせで使用することができる。
【図１】
2012531257.tif 000005
【図２Ａ】
2012531257.tif 000006
【図２Ｂ】
2012531257.tif 000007
【図２Ｃ】
2012531257.tif 000008
【図２Ｄ】
2012531257.tif 000009
【図２Ｅ】
2012531257.tif 000010
【図２Ｆ】
2012531257.tif 000011
【図２Ｇ】
2012531257.tif 000012
【図３Ａ】
2012531257.tif 000013
【図３Ｂ】
2012531257.tif 000014
【図３Ｃ】
2012531257.tif 000015
【図３Ｄ】
2012531257.tif 000016
【図４Ａ】
2012531257.tif 000017
【図４Ｂ】
2012531257.tif 000018
【図５】
2012531257.tif 000019
【図６】
2012531257.tif 000020
【国際調査報告】
2012531257.tif 000021
2012531257.tif 000022